【手続補正書】
【提出日】平成20年1月18日(2008.1.18)
【手続補正１】
【補正対象書類名】明細書
【補正対象項目名】特許請求の範囲
【補正方法】変更
【補正の内容】
【特許請求の範囲】
【請求項１】
メディアオブジェクトをメタデータ又はアクションにリンクする方法であって、
デバイスにおいて、メディアオブジェクトのプレイバック中又はプレイバック後に該メディアオブジェクトから識別子をデコードするステップと、
通信リンクを介して前記識別子をリモートサーバに転送するステップと、
前記リモートサーバで前記識別子をアクションにマッピングするステップと、
前記アクションを実行するステップであって、前記デバイスにデータを返送し、該デバイスで該データを処理することを含むステップと、
を含む方法。
【請求項２】
前記識別子は、前記メディアオブジェクトのファイルヘッダー又はフッターである、請求項１に記載の方法。
【請求項３】
前記識別子は、前記メディアオブジェクトから導き出される、請求項１に記載の方法。
【請求項４】
前記識別子は、前記メディアオブジェクトを格納するパッケージされたメディアに格納されたメタデータから導き出されたものである、請求項１に記載の方法。
【請求項５】
前記パッケージされたメディアは、光ディスクである、請求項４に記載の方法。
【請求項６】
前記識別子は、放送関係者ＩＤ又はディストリビュータＩＤであり、
コンテキスト情報を用いて前記メディアオブジェクトが識別される、請求項１に記載の方法。
【請求項７】
前記コンテキスト情報は、タイムスタンプを含み、前記放送関係者ＩＤは、対応する放送関係者プレーリストを識別するために使用され、前記タイムスタンプは、該タイムスタンプによって示される時間にメディアオブジェクト放送を調べるために使用される、請求項６に記載の方法。
【請求項８】
前記コンテキスト情報を前記識別子と共に転送するステップと、
前記コンテキスト情報を前記識別子と共に使用して前記識別子をアクションにマッピングするステップと
を含み、これにより、異なるアクションが前記コンテキスト情報に基づく前記識別子に応じて実行される、請求項１に記載の方法。
【請求項９】
前記コンテキスト情報は配信のタイプを識別し、これにより、異なるアクションが配信のタイプに基づいて実行される、請求項８に記載の方法。
【請求項１０】
前記コンテキスト情報はデバイスのタイプを識別し、これにより、異なるアクションがデバイスのタイプに基づいて実行される、請求項８に記載の方法。
【請求項１１】
前記コンテキスト情報はユーザについての情報を識別し、これにより、異なるアクションがユーザについての情報に基づいて実行される、請求項８に記載の方法。
【請求項１２】
前記識別子は、プレーヤーデバイスに返送されるデータを調べるために使用され、メディアオブジェクトのレンダリングを制御する、請求項１に記載の方法。
【請求項１３】
前記識別子及び前記コンテキストデータは、前記メディアオブジェクトのレンダリングを制御するデータを調べるために使用される、請求項１２に記載の方法。
【請求項１４】
音声信号をメタデータ又はアクションにリンクする方法であって、
デバイスから音声信号を受信するステップと、
前記音声信号の指紋を計算することによって該音声信号から識別子を動的に導き出すステップと、
前記識別子をアクションにマッピングするステップと、
前記アクションを実行するステップであって、前記デバイスにデータを返送し、該デバイスで該データを処理することを含むステップと、を含む方法。
【請求項１５】
前記返送されたデータは、前記音声信号についてのメタデータを含む、請求項１４に記載の方法。
【請求項１６】
前記返送されたデータは、他のデータ又は前記デバイスを介してアクセス可能なネットワーク上でのアクションへの１つ以上のリンクを含む、請求項１４に記載の方法。
【請求項１７】
前記１つ以上のリンクは、前記音声信号に関するプロダクトを購入する電子取引へのリンクを含む、請求項１６に記載の方法。
【請求項１８】
前記１つ以上のリンクは、ウェブページへのリンクを含む、請求項１６に記載の方法。
【請求項１９】
前記１つ以上のリンクは、ストリーミング又はファイルダウンロードデリバリを介してビデオ又は音声を読み出すプログラムのアクションへのリンクを含む、請求項１６に記載の方法。
【請求項２０】
前記１つ以上のリンクは、前記指紋が導き出される前記音声信号に関連する付加的な情報のデータベースを検索することを含む、請求項１６に記載の方法。
【請求項２１】
前記指紋は、前記音声信号の濾過されたバージョンから導き出される、請求項１４に記載の方法。
【請求項２２】
前記指紋は、前記音声信号の濾過されたバージョンのハッシュから導き出される、請求項２１に記載の方法。
【請求項２３】
前記識別子をアクションにマッピングするステップは、前記デバイスからのコンテキスト情報を使用してアクションを決定することを含む、請求項１４に記載の方法。
【請求項２４】
前記コンテキスト情報はユーザ情報を含み、前記返送されるデータは該ユーザ情報の少なくとも一部に基づいて決定される、請求項２３に記載の方法。
【請求項２５】
前記コンテキスト情報は前記音声信号の再生時間を含み、前記返送されるデータは該再生時間の少なくとも一部に基づいて決定される、請求項２３に記載の方法。
【請求項２６】
前記コンテキスト情報は前記デバイスのデバイス情報を含み、該コンテキスト情報は前記デバイスでレンダリングされ返送されるデータのタイプを決定するために使用される、請求項２３に記載の方法。
【請求項２７】
前記識別子のマッピングは、識別子をアクションと関連付けるデータベースで実行される、請求項１４に記載の方法。
【請求項２８】
前記データベースは、ユーザが識別子及びアクション間の関連付けを変更することを可能とするウェブインターフェースを含む、請求項２７に記載の方法。
【請求項２９】
前記データベースは、識別子に関連付けられるアクションを、ルールセットにしたがって自動的に変更する、請求項２７に記載の方法。
【請求項３０】
前記デバイスは無線電話であり、前記返送されるデータは無線キャリアを介して前記無線電話に送られる、請求項１４に記載の方法。
【請求項３１】
前記音声信号は、その後の前記識別子の抽出のためにマイクを通して記録される、請求項２０に記載の方法。
【請求項３２】
メディアオブジェクトに識別子を埋め込む方法であって、
メディアオブジェクトをパッケージされたメディアから転送するステップと、
前記メディアオブジェクトの識別情報に基づく識別子を得るステップと、
電子ファイルフォーマットに前記識別子を挿入することを含む、電子ファイルフォーマットに前記メディアオブジェクトをコード化するステップと、
を含み、ここで、前記識別子は前記メディアオブジェクトをメタデータ又はアクションにリンクするために使用される、方法。
【請求項３３】
前記メディアオブジェクトは、音声を含む、請求項３２に記載の方法。
【請求項３４】
前記メディアオブジェクトは、圧縮ファイルフォーマットで光ディスクから転送された音声信号である、請求項３２に記載の方法。
【請求項３５】
前記識別子は、パッケージされたメディアに格納されたメディアオブジェクトについてのメディアオブジェクト又はメタデータから導き出されたものである、請求項３２に記載の方法。
【請求項３６】
ユーザが前記メディアオブジェクトを購入すること又は借りることを可能とするユーザインターフェースを提示するステップをさらに含み、ここで、前記リンクは前記メディアオブジェクトを、ユーザから提供されたメタデータ又はアクションに関連付け、かつ前記リンクは、前記識別子を前記ユーザから提供されたメタデータ又はアクションに関連付けることにより達成される、請求項３２に記載の方法。
【請求項３７】
請求項３２の方法を実行するためのソフトウェアが格納された、コンピュータ読取り可能な記録媒体。
【請求項３８】
無線電話送受話器であって、送受話に送信されるメディア信号を記録し、マイクを介して受信される周囲の音声を記録するレコーダーを含む、無線電話送受話器。
【請求項３９】
前記レコーダーで記録されるメディア信号の少なくとも一部から識別子をデコードするデコーダーと、
前記メディア信号と関連付けられたアクション又はメタデータに前記識別子をマッピングすることの可能なサーバに前記識別子を送信する送信器とをさらに備える、請求項３８に記載の無線電話送受話器。
【請求項４０】
前記識別子は、前記メディア信号と関連付けられたバンド信号の範囲外である、請求項３８に記載の無線電話送受話器。
【請求項４１】
前記識別子は、前記メディア信号に埋め込まれたインバンド信号である、請求項３８に記載の無線電話送受話器。
【請求項４２】
前記サーバから返送されるメタデータを表示するディスプレイ装置を含む、請求項３８に記載の無線電話送受話器。
【請求項４３】
前記メディア信号から抽出されるメタデータを表示するためのディスプレイ装置を含む請求項３８に記載の送受話器。
【請求項４４】
前記ディスプレイ装置は、当該送受話器で受信した２つ以上のメディアオブジェクトのために抽出される複数のメタデータアイテムを表示することが可能であり、当該送受話器は、表示された複数のメタデータアイテム中からユーザが選択することを可能とするユーザ入力装置を含み、当該送受話器は、前記ユーザの選択に応答して、選択されたメディアオブジェクトに関するアクション又は追加のメタデータをリモートソースに要求する、請求項４３に記載の送受話器。
【請求項４５】
メディアタイトルのオンラインコレクションを確立する方法であって、
メディア信号にエンコードされる識別子をステガノグラフィーにより抽出するステップと、
前記識別子をデータベースに送信するステップと、
オンラインコレクションに前記メディア信号と関連するタイトルを加えることを前記データベースに要求するステップと、を含む方法。
【請求項４６】
前記オンラインコレクションからタイトルのプレイバックを要求するステップをさらに含む、請求項４５に記載の方法。
【請求項４７】
メディアタイトルのコレクションを管理する方法であって、
ユーザがローカルデータベースでメディアオブジェクトのリストを生成することを可能にするステップと、
前記リスト中のメディアオブジェクトに関するコンテンツ識別子をリモートシステムに送信することにより、該リモートシステムで前記リストをユーザのオンラインメディアオブジェクトコレクションに同期させるステップと、を含む方法。
【請求項４８】
前記リモートシステムは、前記リストを前記ユーザと関連付け、これにより、前記ユーザは、前記リスト中のメディアオブジェクトを通信リンクを介してプレーヤーデバイスに読み出すことができる、請求項４７に記載の方法。
【請求項４９】
前記ユーザのデバイスで再生されたメディアオブジェクトのコンテンツ識別子を記録することにより、該デバイスで再生されたメディアオブジェクトを追跡するステップと、
該デバイスが前記リモートシステムに接続されたとき、前記コンテンツ識別子を前記リモートシステムに送信して、前記ユーザが再生しているメディアオブジェクトのトラックを維持するステップとを含む、請求項４７に記載の方法。
【請求項５０】
メディアタイトルのコレクションを管理するシステムであって、
メディアオブジェクトのリストを含むデータベースと、
メディアコレクションを格納しているリモートシステムへのインターフェースと、
メディアオブジェクト識別子のリストを介して、前記データベースを前記リモートシステムに同期させる同期モジュールとを備える、システム。
【請求項５１】
前記メディアオブジェクト識別子のリストを携帯用のデバイスへ転送するためのインターフェースをさらに備える、請求項５０に記載のシステム。
【請求項５２】
データベースに格納されているメディアタイトルのオンラインコレクションと交信するシステムであって、
メディア信号に埋め込まれた電子透かしを該メディア信号から抽出する検出器であって、該電子透かしは、該メディア信号用の識別情報を含んでいる、検出器と、
前記識別情報を前記データベースに送信するモジュールと、
前記識別情報に応じて前記データベースからデータを受信するモジュールと、を備えるシステム。
【請求項５３】
前記識別情報は、前記オンラインコレクションに加えられるメディア信号のタイトルを含む、請求項５２に記載のシステム。
【請求項５４】
前記識別情報は、使用権を含む、請求項５２に記載のシステム。
【請求項５５】
前記メディア信号は、コンテンツパッケージに格納される、請求項５２に記載のシステム。
【請求項５６】
メディア信号と交信する装置であって、
記憶装置と、
演算処理装置と、
前記記憶装置に格納され、前記演算処理装置によって処理されるローカルアプリケーションとを備え、前記ローカルアプリケーションは、ｉ）メディア信号から識別子を抽出し、ｉｉ）該識別子をデータベースに送信し、前記メディア信号を、該データベースによって維持されるオンラインコレクションと関連付ける動作を行う、装置。
【請求項５７】
前記識別子は、電子透かしを含む、請求項５６に記載の装置。
【請求項５８】
前記識別子は、参照番号を含む、請求項５６に記載の装置。
【請求項５９】
前記識別子は、電子透かし内に埋め込まれたデータを含む、請求項５６に記載の装置。
【請求項６０】
前記データは、タイトル名を含む、請求項５９に記載の装置。
【請求項６１】
前記ローカルアプリケーションは、データベースにユーザ識別名を提供する、請求項５６に記載の装置。
【請求項６２】
前記ユーザ識別子は、装置識別子を含む、請求項５６に記載の装置。
【請求項６３】
前記メディア信号は、コンテンツパッケージに格納されている、請求項５６に記載の装置。
【請求項６４】
オンラインメディアタイトルのライブラリーを生成し管理するシステムを動作させる方法であって、
ユーザからメディア識別子を受信するステップと、
前記メディア識別子に対応するメディアタイトルを決定するステップと、
前記ユーザを識別するステップと、
前記ユーザに関連付けられたメディアタイトルからなるオンラインライブラリーに前記メディアタイトルを加えるステップとを含む、方法。
【請求項６５】
一のメディアタイトルに対するユーザの要求に応じて、前記メディアタイトルが該ユーザのオンラインライブラリーにあることを確認するステップをさらに含む、請求項６４に記載の方法。
【請求項６６】
一のメディアタイトルに対する前記ユーザの要求に応じて該ユーザを認証するステップと、
該ユーザが認証されたときに、該ユーザが前記オンラインライブラリーにアクセスすることを許可するステップとをさらに含む、請求項６５に記載の方法。
【請求項６７】
要求されたメディアタイトルに関連付けられた使用権を決定するステップと、該使用権に基づいて前記メディアタイトルへのアクセスを制御するステップとをさらに含む、請求項６６に記載の方法。
【請求項６８】
前記メディアタイトルを加えるステップは、前記オンラインライブラリーに前記メディアタイトルのコピーを転送するステップを含む、請求項６４に記載の方法。
【請求項６９】
前記メディアタイトルを加えるステップは、前記メディアタイトルのコピーを指示するポインターを前記オンラインライブラリーに加えるステップを含む、請求項６４に記載の方法。
【請求項７０】
前記システムと通信してユーザデバイスを識別することにより前記ユーザが識別される、請求項６４に記載の方法。
【請求項７１】
ストリーミングメディア信号と交信する装置であって、
記憶装置と、
演算処理装置と、
前記記憶装置に格納され、前記演算処理装置によって処理されるローカルなアプリケーションとを備え、前記ローカルアプリケーションは、ｉ）ストリーミングメディア信号から識別子を抽出し、ｉｉ）該識別子をデータベースに送信し、前記ストリーミングメディア信号を前記データベースによって維持されるオンラインライブラリーコレクションと関連付ける動作を行う、装置。
【請求項７２】
前記識別子は、前記ストリーミングメディア信号内の電子透かしに埋め込まれている、請求項７１に記載の装置。
【請求項７３】
前記電子透かしは、前記ストリーミングメディア信号の全体に亘って反復される、請求項７２に記載の装置。
【請求項７４】
前記ローカルアプリケーションは、ユーザの要求に応じて前記識別子を抽出する、請求項７２に記載の装置。
【請求項７５】
前記要求は、音声コマンドを含む、請求項７４に記載の装置。
【請求項７６】
前記識別子は、ユーザがプレイバックのためにライブラリーから前記ストリーミングメディア信号のコピーを読み出せるようにする方法を指図する使用権を含む、請求項７２に記載の装置。
【請求項７７】
前記オンラインライブラリーは、所定のユーザに関連付けられた個人ライブラリーである、請求項７２に記載の装置。
【請求項７８】
前記オンラインライブラリーは、複数のユーザからなる所定のグループに関連付けられている、請求項７２に記載の装置。